(57)【要約】【課題】免震建物用エレベーターの乗場に設置した可動壁の裏面の点検を、乗場から実施できるようにする。【解決手段】昇降路側に固定された昇降路側三方枠２２に取付金２７を固定し、これに昇降路側可動壁２６を回動軸２９により枢持する。また、乗場側に固定された基部側三方枠２１に取付金３０を固定し、これに基部側可動壁２５を回動軸３１により着脱可能に枢持する。両可動壁２５，２６は互いに並立し、かつ互いに連結されている。保守時、回動軸３１を上下共取り外せば、両可動壁２５，２６は回動軸２９を軸として乗場側へ回動し、両可動壁２５，２６の裏面が点検できる。【選択図】        図２
2004182402.tif 000002
【特許請求の範囲】
【請求項１】
基部建築体に免震装置を介して免震建築体が支持され、上記両建築体に互いに連通する昇降路を設けるとともに、その所定の建築体の乗場側に基部側出入口を設け、上記昇降側に上記基部側出入口に対応する昇降路側出入口を設けたエレベーター装置において、一側が上記昇降路側出入口の側部に枢持された昇降路側可動壁と、一側が上記基部側出入口の側部に枢持され他側が上記昇降路側可動壁と並立する基部側可動壁と、上記両可動壁の裏面に設けられ、上記両可動壁を互いに連結する連結装置とを設け、上記基部側可動壁の枢持部を着脱可能に構成したことを特徴とする免震建物用エレベーターの乗場装置。
【請求項２】
昇降路側出入口及び基部側出入口にそれぞれ三方枠を固定し、これらの三方枠に取付金を固定し、この取付金に昇降路側可動壁の一側及び基部側可動壁の一側をそれぞれ枢持するものとしたことを特徴とする請求項１記載の免震建物用エレベーターの乗場装置。
【発明の詳細な説明】
【０００１】
この発明は、免震装置を用いた建築体に設置されるエレベーターの乗場装置に関するものである。
【０００２】
【従来の技術】
免震建物では、図１に示すように基部建築体１に免震装置４を介して免震建築体５が支持されており、免震建築体５の下部には、昇降路６に連通する昇降路７が固着されている。乗場出入口に設置される三方枠は、図６及び図７に示すように、基部側三方枠２１と昇降路側三方枠２２に分離されており、基部側三方枠２１には、基部側可動壁２５が、基部側可動天井板２３に回動軸４２で枢持されている。
【０００３】
また、昇降路側三方枠２２には、昇降路側可動壁２６が、昇降路側可動天井板２４に回動軸４３で枢持されている。（両可動壁２５，２６の下端も同様に枢持されているが詳細は省略。）両可動壁２５，２６は互いに並立重合して、両三方枠２１，２２間を接続している。
また、両可動壁２５，２６の裏面には、案内具３２、案内レール３３、軸３４，３５及び連結腕３６で構成された連結装置３７が設けられて両可動壁２５，２６は連結されており、両可動壁２５，２６を互いの対向面に沿う方向へ案内するようになっている。
【０００４】
このような従来の免震建物用エレベーターの乗場装置においては、基部建築体１側と昇降路７側とは分離されているため、地震時、基部側三方枠２１と昇降路側三方枠２２間に層間変位が発生する。このとき、基部側三方枠２１に結合された可動天井板２３、可動壁２５及び可動床板４０は三方枠２１に追従して変位し、昇降路側三方枠２２に結合された可動天井板２４、可動壁２６及び可動床板４１は三方枠２２に追従して変位して層間変位を吸収する。
【０００５】
【発明が解決しようとする課題】
上記のような従来の免震建築用エレベーターの乗場装置では、可動壁２５，２６は三方枠２１，２２間を接続する部材を構成しているため、可動壁２５，２６裏面の案内具３２部分の点検・給油の場合に支障が生じる。すなわち、上記点検・給油作業には、かご１１の上に搭乗して、昇降路７から可動壁２５，２６の裏面に入る必要があり、作業が困難であるという問題点がある。
【０００６】
この発明は、上記問題点を解消するためになされたもので、両可動壁の裏面の点検を、乗場側から実施できるようにした免震建物用エレベーターの乗場装置を提供することを目的とする。
【０００７】
【課題を解決するための手段】
この発明に係る免震建物用エレベーターの乗場装置は、昇降路側可動壁を昇降路側出入口の側部に枢持し、基部側可動壁を基部側出入口の側部に枢持し、かつ昇降路側可動壁と並立するとともに、基部側可動壁の枢持部を着脱可能に構成したものである。
【０００８】
【発明の実施の形態】
実施の形態１．
図１〜図５はこの発明の第１及び第２発明の一実施の形態を示す図で、図１は建物の縦断面図、図２は図１のＩＩ部拡大図、図３は図２のＩＩＩ部拡大図、図４は図２の平面拡大図（下方が乗場側）、図５は図４の動作説明図で、図中同一部分は同一符号で示す。
【０００９】
図１において、基部建築体１は大地２に建築されており、基部建築体１には縦坑３が設けられている。そして、基部建築体１の上面には、免震装置４を介して免震建築体５が支持されており、免震建築体５にはエレベーター昇降路（以下、単に昇降路という。）６が設けられている。また、免震建築体５の下部には、昇降路６に連通する昇降路７が固着され、縦坑３に水平方向にすき間を介して配置されている。
【００１０】
また、免震建築体５には、昇降路６の上方に機械室８が設けられ、機械室８には巻上装置９が設置されている。そして、巻上装置９には主索１０が巻き掛けられ、主索１０の一端にはかご１１が結合され、他端にはつり合おもり１２が結合されている。また、昇降路７の底部には、かご１１及びつり合おもり１２のそれぞれに対応した緩衝器１３が設置されている。
【００１１】
図２〜図４において、基部建築体１の乗場出入口は、乗場に面する基部側出入口と、昇降路７に面する昇降路側出入口とがあり、基部側出入口には、基部側三方枠２１が固定され、基部側三方枠２１は基部側出入口の両側に配置された立柱２１ａと、立柱２１ａの上部を結合する上枠２１ｂとで構成されている。また、昇降路側出入口には、昇降路側三方枠２２が固定され、昇降路側三方枠２２は昇降路側出入口の両側に配置された立柱２２ａの上部を結合する上枠２２ｂとで構成されている。
【００１２】
基部側三方枠２１の上枠２１ｂには、水平方向へ延在する基部側可動天井板２３が固定され、昇降路側三方枠２２の上枠２２ｂには、同様に昇降路側可動天井板２４が固定され、両可動天井板２３，２４は相互に重合している。立柱２１ａと立柱２２ａの間には、基部側可動壁２５及び昇降路側可動壁２６が立設され、それぞれ可動天井板２３，２４の下方に配置されている。立柱２２ａの上部にはＬ字状の取付金２７の一辺が固定されており、昇降路側可動壁２６の隅部上端は、取付金２７の他側に緩み止め具２８を介して、回動軸２９によって回動可能に結合されている。
【００１３】
昇降路側可動壁２６の隅部下端は、立柱２２ａの下部に固定された取付金２７に、回動軸２９によって同様に結合されている。また、基部側可動壁２５の隅部上端及び下端は、立柱２１ａの上部及び下部に固定された取付金３０に、それぞれ回動軸３１によって回動かつ着脱可能に結合されている。また、昇降路側可動壁２６、２６の高さ方向のほぼ中央部の裏面には、案内具３２を横方向へ摺動案内する案内レール３３が固定され、案内具３２に固定された軸３４と基部側可動壁２５の裏面に固定された軸３５は、連結腕３６によってそれぞれ回動可能に連結されている。なお、案内具３２、案内レール３３、軸３４，３５及び連結腕３６は連結装置３７を構成している。
【００１４】
昇降路側三方枠２２の昇降路７側には、乗場戸３８が配置されており、乗場戸３８の上端は出入口に沿って移動可能に支持（詳細は省略）されている。昇降路側出入口には、乗場戸３８の下端を案内する敷居３９が固定されている。
また、基部側可動壁２５の下方には、基部建築体１に固定され水平方向へ延在する基部側可動床板４０が配置され、昇降路側可動壁２６の下方には、昇降路側出入口に固定され水平方向へ延在する昇降路側可動床板４１が配置され、両可動床板４０，４１は相互に重合している。
【００１５】
次に、この実施の形態の動作を図５を参照して説明する。
保守時には、例えば図４の右側の基部側可動壁２５を取付金３０に結合している回動軸３１（上下共）を乗場側から取り外す。
このとき、基部側可動壁２５と昇降路側可動壁２６は、連結装置３７によって連結されているため、回動軸３１を取り外しても、両可動壁２５，２６は昇降路側可動壁２６の回動軸２９部分により支持される。したがって、図５に示すように、回動軸２９を軸として両可動壁２５，２６を乗場側へ回動することができる。
【００１６】
これで、矢印Ａ方向から両可動壁２５，２６の裏面部を点検することができ、連結装置３７部の点検、給油等が実施される。
なお、図４の左側の基部側及び昇降路側可動壁２５，２６についても全く同様に実施される。
このようにして、乗場側から両可動壁２５，２６を回動することにより、保守時に乗場側から両可動壁２５，２６の裏面を点検することができ、昇降路７内に立ち入る必要がなくなり、点検作業を容易に実施することが可能となる。
【００１７】
なお、上記実施の形態では、この発明を基部建築体１の乗場に適用した場合について説明したが、免震建築体５の乗場に適用することも可能である。
【００１８】
【発明の効果】
以上説明したとおりこの発明では、昇降路側可動壁を昇降路側出入口の側部に枢持し、基部側可動壁を基部側出入口の側部に枢持し、かつ昇降路側可動壁と並立させるとともに、基部側可動壁の枢持部を着脱可能に構成したので、乗場側から可動壁を回動することにより、保守時に乗場側から可動壁の裏面を点検することができ、点検作業を容易に実施することができる。
【図面の簡単な説明】
【図１】この発明の実施の形態１を示す建物の縦断面図。
【図２】図１のＩＩ部拡大図。
【図３】図２のＩＩＩ部拡大図。
【図４】図２の平面拡大図（下方が乗場側）。
【図５】図４の動作説明図（下方が乗場側）。
【図６】従来の免震建物用エレベーターの乗場装置を示す縦断面図で、図２相当図。
【図７】従来の免震建物用エレベーターの乗場装置を示す平面断面図で、図４相当図。
【符号の説明】
１  基部建築体、    ４  免震装置、    ５  免震建築体、    ７  昇降路、２１  基部側三方枠、    ２２  昇降路側三方枠、    ２５  基部側可動壁、    ２６  昇降路側可動壁、    ２７  取付金、    ２９  回動軸、    ３０取付金、    ３１  回動軸、    ３７  連結装置。
【図１】
2004182402.tif 000003
【図２】
2004182402.tif 000004
【図３】
2004182402.tif 000005
【図４】
2004182402.tif 000006
【図５】
2004182402.tif 000007
【図６】
2004182402.tif 000008
【図７】
2004182402.tif 000009